(57)【要約】【課題】粘度の高い半固形物である味噌を容易に収納したり、取り出したりすることができる上、味噌を収納した状態で安定して起立させることが可能な味噌収納用のガゼット袋を提供する。【解決手段】味噌収納用ガゼット袋Ｐは、合成樹脂フィルムによって形成されており、表裏の胴材２ａ，２ｂの左右および底部に，それぞれ、折り込み材３ａ，３ｂ、折り込み材４を挟み込んだ袋状に形成されている。そして、下側の折り込み材４の外周が、表裏の胴材２ａ，２ｂの下端際および左右両側の折り込み材３ａ，３ｂの下端際にヒートシールされている。また、表側の胴材２ａの左右の端縁際の略全体が、それぞれ、左右の折り込み材３ａ，３ｂの前側の端縁際にヒートシールされているとともに、裏側の胴材２ｂの左右の端縁際の略全体が、それぞれ、左右の折り込み材３ａ，３ｂの後側の端縁際にヒートシールされている。【選択図】図１
2018070184.tif 000002
【特許請求の範囲】
【請求項１】
合成樹脂フィルムによって、表裏２枚の胴材の左右両側および下側に折り込み材を挟み込んだ袋状に形成された味噌を収納するためのガゼット袋であって、
下側の折り込み材の外周が、表裏の各胴材の下端際および左右の各折り込み材の下端際にヒートシールされており、かつ、
表側の胴材の左右の端縁際の略全体が、それぞれ、左右の各折り込み材の前側の端縁際にヒートシールされているとともに、裏側の胴材の左右の端縁際の略全体が、それぞれ、左右の各折り込み材の後側の端縁際にヒートシールされており、
表裏の胴材、左右両側および下側の折り込み材を構成する合成樹脂フィルムの厚みが、いずれも７０μｍ以上１４０μｍ以下であることを特徴とする味噌収納用ガゼット袋。
【請求項２】
表裏の胴材の幅ａに対する左右の各折り込み材の幅ｂの割合が０．６以上１．０未満であることを特徴とする請求項１に記載の味噌収納用ガゼット袋。
【請求項３】
表裏の胴材、左右両側および下側の折り込み材を構成する合成樹脂フィルムが、いずれもＰＥＴ層を含む積層フィルムであることを特徴とする請求項１、または請求項２に記載の味噌収納用ガゼット袋。
【請求項４】
表裏の胴材、左右両側および下側の折り込み材を構成する合成樹脂フィルムが、いずれもガスバリア性を有するものであることを特徴とする請求項１〜３のいずれかに記載の味噌収納用ガゼット袋。
【発明の詳細な説明】
【技術分野】
【０００１】
本発明は、粘度の高い半固形物である味噌を包装（収納）するための包装袋に関するものであり、詳しくは、左右両サイドにマチを設けた味噌収納用の包装袋（所謂ガゼット袋）に関するものである。
【背景技術】
【０００２】
粘度の高い半固形物である味噌を長期的に収納する容器としては、収納し易さと取り出し易さの観点から、合成樹脂製の蓋付きのケースが用いられることが多い。また、味噌の容器としては、中身の状態を確認できるように透明な合成樹脂によって形成されたケースが用いられることが多い（特許文献１）。
【先行技術文献】
【特許文献】
【０００３】
【特許文献１】実開平７−２６３９２号公報
【発明の概要】
【発明が解決しようとする課題】
【０００４】
しかしながら、上記した特許文献１の如き従来の味噌用の収納容器は、内容物を充填して陳列するためには、ケース本体、蓋体の他に、ケース本体の開口部において内部を密封するためのシール部材が必要である。また、内容物の商品名や性状を表示するためには、別途、それらを表示したシール等を作成してケースに貼り付けなければならない。それゆえ、従来の味噌用の収納容器は、包装に要する部材点数が多くなってしまうため、安価に包装することが難しい。
【０００５】
本発明の目的は、上記従来の収納容器が有する問題点を解消し、粘度の高い半固形物である味噌を容易に包装（収納）したり、取り出したりすることができ、味噌を安価に包装することが可能な上、味噌を収納した状態で安定して起立させることが可能で冷蔵庫の中で保管し易い味噌収納用のガゼット袋を提供することにある。
【課題を解決するための手段】
【０００６】
本発明の内、請求項１に記載された発明は、合成樹脂フィルムによって、表裏２枚の胴材の左右両側および下側に折り込み材を挟み込んだ袋状に形成された味噌を収納するためのガゼット袋であって、下側の折り込み材の外周が、表裏の各胴材の下端際および左右の各折り込み材の下端際にヒートシールされており、かつ、表側の胴材の左右の端縁際の略全体が、それぞれ、左右の各折り込み材の前側の端縁際にヒートシールされているとともに、裏側の胴材の左右の端縁際の略全体が、それぞれ、左右の各折り込み材の後側の端縁際にヒートシールされており、表裏の胴材、左右両側および下側の折り込み材を構成する合成樹脂フィルムの厚みが、いずれも７０μｍ以上１４０μｍ以下であることを特徴とするものである。
【０００７】
請求項２に記載された発明は、請求項１に記載された発明において、表裏の胴材の幅ａに対する左右両側の折り込み材の幅ｂの割合が０．６以上１．０未満であることを特徴とするものである。
【０００８】
請求項３に記載された発明は、請求項１、または請求項２に記載された発明において、表裏の胴材、左右両側および下側の折り込み材を構成する合成樹脂フィルムが、いずれもＰＥＴ（ポリエチレンテレフタレート）層を含む積層フィルムであることを特徴とするものである。
【０００９】
請求項４に記載された発明は、請求項１〜３のいずれかに記載された発明において、表裏の胴材、左右両側および下側の折り込み材を構成する合成樹脂フィルムが、いずれもガスバリア性を有するものであることを特徴とするものである。
【発明の効果】
【００１０】
請求項１に記載の味噌収納用ガゼット袋は、粘性の高い半固形物である味噌を収納（充填）する際に、上部において大きく開口する開口部から容易に収納することができる（味噌を吐出するノズル等を引っ掛かけたりすることなく収納することができる）。また、上端縁をヒートシールすることによって容易に密封することができる。その上、所定厚みの合成樹脂フィルムによって左右および底部に折り込み部を設けた袋状（ガゼット形状）に形成されているので、味噌を充填すると充填部分が略直方体状になって安定した状態で起立させることが可能となるため、店頭や冷蔵庫内の小さなスペースで効率良く収納することができる。さらに、味噌を充填した際に、底部の折り込み部が拡がって矩形の底面を形成するため、味噌を残さないように掻き出すことが可能となる。また、胴材や折り込み材の表面等に内容物の商品名や性状を印刷することができるため、少ない部材点数で安価に包装することができる。
【００１１】
請求項２に記載の味噌収納用ガゼット袋は、表裏の胴材の幅ａに対する左右の各折り込み材の幅ｂの割合が所定の数値範囲内に調整されているため、きわめて安定した状態で起立させることができるので、味噌が内部で左右前後に偏在した場合でも倒れてしまったりしない。
【００１２】
請求項３に記載の味噌収納用ガゼット袋は、胴材および折り込み材を構成する合成樹脂フィルムがＰＥＴ層を含む積層フィルムであるため、胴材や折り込み材の強度が高く、耐水性にも優れているので、きわめて長期間に亘って味噌を保管することができる。その上、寸法安定性に優れているため、製袋機でロール状のフィルムから連続的に製袋する際に、歩留まり良く製袋することができる。
【００１３】
請求項４に記載の味噌用収納容器は、胴材および折り込み材を構成する合成樹脂フィルムがガスバリア性を有するものであるため、長期間に亘って味噌の品質を保持することができる。
【図面の簡単な説明】
【００１４】
【図１】味噌収納用ガゼット袋を示す説明図である（ａは正面図であり、ｂはａにおけるＡ−Ａ線端面図であり、ｃはａにおけるＢ−Ｂ線端面図である）。
【図２】味噌を充填して密封した味噌収納用ガゼット袋を示す説明図（斜視図）である。
【図３】味噌を充填して密封した味噌収納用ガゼット袋を示す説明図（左側面図）である。
【図４】味噌収納用ガゼット袋を形成するための左右の折り込み材および底部の折り込み材を示す説明図である（ａは正面図であり、ｂは左側の折り込み材の下端際の左側面の端面図（すなわち、ａにおける矢印Ｃ方向の矢視図）であり、ｃは左側の折り込み材と底部の折り込み材とを分離した状態の斜視図である）。
【図５】味噌収納用ガゼット袋の使用状態（味噌を充填した状態）を示す説明図（斜視図）である（右図は、開封予定位置において開封した状態を示したものである）。
【図６】折り込み材の変更例を示す説明図である（ａは正面図であり、ｂはａにおける破線部分の左側面図である）。
【発明を実施するための形態】
【００１５】
以下、本発明に係る味噌収納用ガゼット袋の一実施形態について詳細に説明する。本発明に係る味噌収納用ガゼット袋は、柔軟な合成樹脂フィルムによって形成されたものである。ここでいう合成樹脂フィルムとは、合成樹脂フィルムを積層した積層フィルム、あるいは合成樹脂フィルムと紙やアルミ箔等とを積層した積層フィルム、共押出フィルム等のことである。味噌収納用ガゼット袋に用いられる合成樹脂フィルムは、少なくとも片面（内面）が熱接着性（熱融着性）を有している必要がある。また、当該味噌収納用ガゼット袋は、味噌の品質を保持するために、ガスバリア性を有していると好ましい。具体的には、２０℃６５％ＲＨにおける酸素透過度が２０ｃｃ／ｍ２・ｄａｙ・ａｔｍ以下であると好ましく、１０ｃｃ／ｍ２・ｄａｙ・ａｔｍ以下であるとより好ましく、１ｃｃ／ｍ２・ｄａｙ・ａｔｍ以下であるとさらに好ましい。
【００１６】
そして、そのような合成樹脂フィルムとしては、たとえば、バリア層と熱接着層とを含む多層フィルムを用いることができる。バリア層としては、エチレン−ビニルアルコール共重合体フィルム、バリア層としては、エチレン−ビニルアルコール共重合体フィルム、あるいはエチレン−ビニルアルコール共重合体フィルムまたはポリメタキシリレンアジパミドフィルムのナイロン等との共押し出しフィルムを挙げることができる。また、酸化ケイ素（シリカ）や酸化アルミニウム（アルミナ）が蒸着されたポリエステル等のフィルム、アルミニウム箔やアルミニウムが蒸着されたポリエステルやナイロン等のフィルムを用いても良い。熱接着層としては、たとえば、ポリエチレンや無延伸ポリプロピレン等のフィルムを用いることができる。
【００１７】
また、本発明に係る味噌収納用ガゼット袋は、構成部材（表裏の胴材、左右両側および下側の折り込み材）である合成樹脂フィルムが、いずれもＰＥＴ層を含む積層フィルムであると好ましく、合成樹脂フィルムの熱接着性の層以外のベース層（あるいはベースフィルム）がナイロン層の外側にＰＥＴ層を積層したものであると、ナイロンの強度とＰＥＴの防水性および寸法安定性とを同時に発現させることができ、味噌収納用ガゼット袋が味噌の収納に適したものとなるのでより好ましい。そのような合成樹脂フィルムのより好ましい具体的として、以下の積層フィルムを挙げることができる（なお、以下の積層フィルムには、必要に応じて、他の樹脂からなるフィルムを挟み込んだり積層したりすることも可能である）。
ａ．ＰＥＴを積層した二軸延伸ナイロンフィルム、エチレン−ビニルアルコール共重合体フィルム、直鎖状低密度ポリエチレンフィルムを積層してなる積層フィルム
ｂ．ＰＥＴフィルム、ナイロンとポリメタキシリレンアジパミドとの共押し出しフィルム、直鎖状低密度ポリエチレンフィルムを積層してなる積層フィルム
ｃ．ＰＥＴフィルム、ナイロンとエチレンビニルアルコール共重合体との共押し出しフィルム、直鎖状低密度ポリエチレンフィルムを積層してなる積層フィルム
ｄ．酸化ケイ素蒸着ＰＥＴフィルム、ナイロンフィルム、直鎖状低密度ポリエチレンフィルムを積層してなる積層フィルム
ｅ．酸化アルミニウム蒸着ＰＥＴフィルム、ナイロンフィルム、直鎖状低密度ポリエチレンフィルムを積層してなる積層フィルム
ｆ．ＰＥＴフィルム、エチレン−ビニルアルコール共重合体フィルム、直鎖状低密度ポリエチレンフィルムを積層してなる積層フィルム
【００１８】
また、合成樹脂フィルムの厚み（総厚み）は、７０μｍ以上１４０μｍ未満の範囲内であることが必要である。合成樹脂フィルムの厚みが７０μｍを下回ると、合成樹脂フィルムの強度が不十分となる。また、合成樹脂フィルムの“こし（スティフネス）”がなくなることで、味噌収納用ガゼット袋に味噌を充填したときに味噌収納用ガゼット袋が膨らみやすく、外周に若干のシワや弛みが生じて見栄えが悪くなり、店頭でのディスプレイ効果が低減するので好ましくない。反対に、合成樹脂フィルムの厚みが１４０μｍを上回ると、マチの部分等において味噌収納用ガゼット袋をハサミで裁断することが難しくなるので好ましくない。なお、合成樹脂フィルムの厚みは、７０μｍ以上１１０μｍ未満であるとより好ましい。
【００１９】
加えて、上記したａ〜ｆの積層フィルム（第００１７段落）を用いる場合には、各層の厚みを以下のように調整すると、フィルムの強度、“こし”の強さ、ハサミで裁断するときの裁断容易性が、ともに良好なものとなるので好ましい（なお、以下の記載における“数値”〜“数値”μｍは、“数値”μｍ以上“数値”μｍ以下を意味する）。
ａ．ＰＥＴを積層した二軸延伸ナイロンフィルム（１２〜１８μｍ）／エチレン−ビニルアルコール共重合体フィルム（９〜１５μｍ）／直鎖状低密度ポリエチレンフィルム（７５〜８５μｍ）
ｂ．ＰＥＴフィルム（９〜１５μｍ）／ナイロンとポリメタキシリレンアジパミドとの共押し出しフィルム（１２〜１８μｍ）／直鎖状低密度ポリエチレンフィルム（７５〜８５μｍ）
ｃ．ＰＥＴフィルム（９〜１５μｍ）／ナイロンとエチレンビニルアルコール共重合体との共押し出しフィルム（１２〜１８μｍ）／直鎖状低密度ポリエチレンフィルム（７５〜８５μｍ）
ｄ．酸化ケイ素蒸着ＰＥＴフィルム（９〜１５μｍ）／ナイロンフィルム（１２〜１８μｍ）／直鎖状低密度ポリエチレンフィルム（７５〜８５μｍ）
ｅ．酸化アルミニウム蒸着ＰＥＴフィルム（９〜１５μｍ）／ナイロンフィルム（１２〜１８μｍ）／直鎖状低密度ポリエチレンフィルム（７５〜８５μｍ）
ｆ．ＰＥＴフィルム（９〜１５μｍ）／エチレン−ビニルアルコール共重合体フィルム（９〜１５μｍ）／直鎖状低密度ポリエチレンフィルム（７５〜８５μｍ）
【００２０】
また、本発明に係る味噌収納用ガゼット袋は、上記した合成樹脂フィルムをガゼット袋状にすることによって製造される。すなわち、表裏の胴材の左右の側部および下部（底部）に、それぞれ、二つ折りされた折り込み材を挟み込むという態様で積層し、その積層体の側部および下部をヒートシール（熱融着）することによって製造される。加えて、本発明に係る味噌収納用ガゼット袋は、表側の胴材の左右の端縁際の略全体が、それぞれ、左右の各折り込み材の前側の端縁際にヒートシールされているとともに、裏側の胴材の左右の端縁際の略全体が、それぞれ、左右の各折り込み材の後側の端縁際にヒートシールされていることが必要である。味噌収納用ガゼット袋をそのように構成することによって、上部の開口部を大きく開口させることが可能となり、内容物である味噌を収納（充填）する際や味噌を掻き出す際に、それらの作業を容易なものとすることが可能となる。
【００２１】
各ヒートシール（側方シール部、底シール部の形成等）および裁断は、ガゼット製袋機を用いて、一連の加工として実施することも可能であるし、バッチ（非一連）の加工として実施することも可能である。なお、ヒートシールの温度は、特に限定されないが、ポリエチレン（直鎖状低密度ポリエチレン）フィルムを熱接着性フィルムとする合成樹脂フィルムを用いる場合には、１７０〜２１０℃の範囲内にするのが好ましい。
【００２２】
また、本発明に係る味噌収納用ガゼット袋は、左右両側に折り込み部（所謂、マチ）を設けるとともに、下側（底部）にも折り込み部を設けたものであることが必要である。そのような味噌収納用ガゼット袋を用いることによって、味噌収納用ガゼット袋の自立性が高くなり、味噌収納用ガゼット袋のみで冷蔵庫内等へ収納したり、商品棚で陳列したりすることが可能となる。
【００２３】
また、味噌収納用ガゼット袋は、正面視で概ね矩形に形成されるが、その大きさは特に限定されず、高さ、幅ともに概ね５０〜３５０ｍｍの範囲内で、必要に応じて調整することができる。また、味噌収納用ガゼット袋は、左右両側および下側（底部）に折り込み部（内向きに二つ折りに折り込んだ部分）を設けたものであるが、当該折り込み部の幅（二つ折り部分の幅）も、特に限定されず、概ね１５〜１７５ｍｍの範囲内で必要に応じて調整することができる。
【００２４】
さらに、本発明に係る味噌収納用ガゼット袋は、表裏の胴材の幅（左右の幅）ａに対する左右の各折り込み材の幅ｂ（すなわち、折り込み部の幅の２倍）の割合（すなわち、ｂ／ａ）が０．６以上１．０未満であると好ましい（図１〜図３参照）。ｂ／ａの値が０．６を下回ると、味噌を充填した味噌収納用ガゼット袋の前後の厚みが左右の幅に比べて大幅に薄いものとなり、味噌が内部で左右前後に偏在した場合に倒れやすくなるので好ましくない。反対に、ｂ／ａの値が１．０を上回ると、左右の折り込み材が中央（幅方向の中央）で干渉することとなり、製袋が困難になるので好ましくない。また、味噌を充填したときの味噌の高さを「ｍ」としたときに、表裏の胴材の幅（左右の幅）ａに対する味噌の高さｍの割合（すなわち、ｍ／ａ）が０．７以上１．５以下であると、味噌を取り出すときに安定して起立させた状態を保持しやすいので好ましい。
【００２５】
加えて、味噌収納用ガゼット袋は、所定の高さ位置において水平方向に裁断して開封する開封予定位置が設定されていると好ましい。すなわち、破線やハサミのマーク等を印刷すること等によって裁断（開封）すべき位置が表示されていたり、側部の裁断すべき位置に水平方向への裁断のきっかけとなるノッチや切れ込みあるいは複数の細孔等の易開封手段が設けられていたり、手で裁断可能なように複数の切線、貫通あるいは未貫通の細孔やミシン目等が水平方向に直線状に連続的に設けられていたりすると好ましい。なお、開封予定位置は、内部に充填される味噌の上面より上側の任意の高さ位置に設定するのが好ましい。
【実施例】
【００２６】
以下、本発明に係る味噌収納用ガゼット袋について実施例に基づいてより詳細に説明するが、本発明は、かかる実施例の態様に何ら限定されるものではなく、本発明の趣旨を逸脱しない範囲で、適宜変更することが可能である。また、実施例、比較例における物性、特性の評価方法は以下の通りである。
【００２７】
＜味噌取り出し時の安定性＞
約７５０ｇの味噌（マルコメ株式会社製  「料亭の味」）を常温にて収納（充填）して水平面に載置し、味噌をスプーン（１５ｃｃの計量スプーン）で３回繰り返しすくい出したときの味噌収納用ガゼット袋の安定感を、下記の３段階で官能評価した。
○：ぐらつくことなく鉛直方向に起立した状態を保持した
△：味噌の残量や偏りによって、わずかにぐらつくときがあるが、略鉛直方向に起立した状態を保持した
×：味噌の残量や偏りによって、ぐらついて安定して起立しないときが多かった
【００２８】
＜裁断容易性＞
味噌を充填して密封した味噌収納用ガゼット袋の開封予定位置Ｃを、ハサミ（小型の工作用ハサミ）を利用して裁断したときの裁断のし易さを、下記の３段階で官能評価した。
○：大きな力を加えなくても裁断することができる
△：かなり大きな力を加えないと裁断することができない
×：手の力では裁断することができない
【００２９】
［実施例１］
＜味噌収納用ガゼット袋の製造＞
ガゼット製袋機を利用して、下記ａ〜ｃの工程によって、左右両側および下側に折り込み部を有する実施例１の味噌収納用ガゼット袋を形成した。
ａ．片面が熱接着性を有する長尺な２枚の合成樹脂フィルム（すなわち、表裏の胴材）を、その熱接着性の面が対向するように配置させる
ｂ．配置させた２枚の合成樹脂フィルム（すなわち、表裏の胴材）の間に、左右の折り込み部を形成するための折り込み材（胴材と同様な合成樹脂フィルムを二つ折りしてなるもの）と、下側（底部）の折り込み部を形成するための折り込み材（胴材と同様な合成樹脂フィルムを二つ折りしてなるもの）とを連続的に挟み込んで積層する
ｃ．上記の積層物を所定の大きさ（縦×横＝２２０ｍｍ×１０５ｍｍ）に裁断するのと同時に、積層物の外周（左右の両側縁際および底縁際）を所定の温度（約１９０℃）でヒートシールする
【００３０】
なお、上記の味噌収納用ガゼット袋の製造においては、表裏の胴材、左右および下側の折り込み部を形成するための折り込み材として、総厚１５μｍのＰＥＴを積層した二軸延伸ナイロンフィルム（ベースフィルム）の上に、厚さ１２μｍのエチレン−ビニルアルコール共重合体フィルムを積層し、さらにその上に、厚さ８０μｍの直鎖状低密度ポリエチレンフィルム（熱接着性フィルム）を積層してなる透明な合成樹脂フィルム（総厚み１０７μｍの多層フィルム）を使用した。なお、ベースフィルムにおいては、ナイロン層がＰＥＴ層に比べて厚くなっている。
【００３１】
＜味噌収納用ガゼット袋の構成＞
図１、図２は、製造された実施例１の味噌収納用ガゼット袋Ｐを示したものであり、味噌収納用ガゼット袋Ｐは、表裏２枚の略矩形の胴材２ａ，２ｂ、それらの胴材２ａ，２ｂの左右の両端縁際に挟み込まれた折り込み材３ａ，３ｂ、および、底部の折り込み材４によって、正面視が略矩形（縦長な長方形状）となるように形成されており、縦×横＝２２０ｍｍ×１０５ｍｍの大きさを有している。表裏の各胴材２ａ，２ｂは、直鎖状低密度ポリエチレンフィルム（熱接着性フィルム）層を内側にした状態で配置されている。
【００３２】
また、図３は、味噌収納用ガゼット袋Ｐにおける左右両サイドの折り込み材３ａ，３ｂおよび底部の折り込み材４を示したものである。左右の各折り込み材３ａ，３ｂは、上記した合成樹脂フィルムからなる幅９５ｍｍの縦長な帯状体を、直鎖状低密度ポリエチレンフィルム層が外向きになるように、所定の幅（約４７．５ｍｍ幅）の二つ折りにした構造を有している。それらの折り込み材３ａ，３ｂは、直鎖状低密度ポリエチレンフィルム層を表裏の胴材２ａ，２ｂの裏面に対向させた状態で配置されている。
【００３３】
また、左右の各折り込み材３ａ，３ｂの下端際の部分は、それぞれ、断面（鉛直な断面）Ｍ字状になるように中側へ斜めに折り曲げられており、それらの屈曲部分Ｆ，Ｆの内部に、幅９５ｍｍの横長な帯状体を二つ折りにしてなる底部の折り込み材４の左右の両端際が挟み込まれている。なお、当該底部の折り込み材４は、直鎖状低密度ポリエチレンフィルム層が外向きになるように、所定の幅（約４７．５ｍｍ幅）の二つ折りにした構造を有している。そして、それらの左右の折り込み材３ａ，３ｂおよび底部の折り込み材４の表裏の外側に、胴材２ａ，２ｂが重ねられている。
【００３４】
そして、胴材２ａ，２ｂと折り込み材３ａ，３ｂとの積層部分の内の端縁際の部分をヒートシールすることによって幅約８ｍｍの側方シール部５，５・・が形成されている。当該側方シール部５，５・・の上側の部分においては、表側の胴材２ａの裏面と折り込み材３ａ，３ｂの裏面、および、裏側の胴材２ｂの裏面と折り込み材３ａ，３ｂの裏面が、それぞれ融着し合っている。一方、側方シール部５，５・・の下端際の部分においては、断面Ｍ字状の屈曲部分Ｆの外側では、表側の胴材２ａの裏面と折り込み材３ａ，３ｂの裏面、および、裏側の胴材２ｂの裏面と折り込み材３ａ，３ｂの裏面が、それぞれ融着し合っており、屈曲部分Ｆの内側では、折り込み材３ａ，３ｂの裏面と底部の折り込み材４の裏面が融着し合っている。
【００３５】
また、底部の折り込み部（折り込み材４が挟み込まれた部分）の下端縁際の部分を一定の高さ（約８ｍｍ）の帯状にヒートシールすることによって底シール部１５，１５が形成されている。それらの底シール部１５，１５においては、表側の胴材２ａの裏面と折り込み材４の裏面、および、裏側の胴材２ｂの裏面と折り込み材４の裏面が、それぞれ融着し合っている。
【００３６】
そして、味噌収納用ガゼット袋Ｐにおいては、底部の折り込み材４の外周（周縁際）が、表裏の胴材２ａ，２ｂの下端際および左右の各折り込み材３ａ，３ｂの下端際にヒートシールされた状態になっている。また、表側の胴材２ａの左右の端縁際全体が、それぞれ、左右の各折り込み材３ａ，３ｂの前側の端縁際にヒートシールされた状態になっているとともに、裏側の胴材２ｂの左右の端縁際全体が、それぞれ、左右の各折り込み材３ａ，３ｂの後側の端縁際にヒートシールされた状態になっている。
【００３７】
また、上記の如く製袋された味噌収納用ガゼット袋Ｐの所定の高さ位置（上端縁から約３０ｍｍ下側の位置）には、ハサミ等によって裁断（開封）すべき位置を示す破線Ｃ（開封予定位置）が印刷によって表示されている。なお、破線Ｃは、折り込み部３ａ，３ｂおよび胴材２ａ，２ｂを横断するように周状に印刷されている（図１、図２参照）。
【００３８】
＜味噌収納用ガゼット袋の評価＞
上記した実施例１の味噌収納用ガゼット袋Ｐの上端縁の開口部Ｏ（左右の側方シール部５，５同士の間のヒートシールされていない部分）から味噌（７５０ｇ）を充填した。充填は、味噌の表面が概ね平らになるように行った。充填後の味噌の高さ（ｍ）は、約９０ｍｍであった。なお、味噌の充填時には、左右の各折り込み材３ａ，３ｂを拡げることで大きく開口したから開口部Ｏから非常に容易に充填することが可能であった。そして、味噌を充填した後に、上端縁の開口部Ｏにおいて、折り込み材３ａ，３ｂを畳んで元に戻してヒートシールすることにより、開口部Ｏの中央で胴材２ａ，２ｂを融着させとともに、その左右では胴材２ａ，２ｂと対向する折り込み材３ａ，３ｂとを融着させ、一定の高さで（約５ｍｍ〜１０ｍｍ）の帯状の頭シール部を形成することによって味噌収納用ガゼット袋Ｐを密封した。なお、頭シール部は、左右の側方シール部５，５と重なり合うように形成した。
【００３９】
味噌収納用ガゼット袋Ｐに上記の如く味噌を収納（充填）させると、折り込み材３ａ，３ｂが拡がって矩形状の側面を形成するとともに、底部付近において折り込み材４が拡がって矩形状の底面（左右幅＝１０５ｍｍ×前後幅＝９５ｍｍ）を形成し、安定した状態で起立させることが可能であった。そして、その（味噌を収納した）味噌収納用ガゼット袋Ｐを用いて、上記した方法で「味噌取り出し時の安定性」および「裁断容易性」を評価した。評価結果を味噌収納用ガゼット袋Ｐの性状とともに表１に示す。
【００４０】
［実施例２］
味噌収納用ガゼット袋の製造時に、表裏の胴材、左右および下側の折り込み部を形成するための折り込み材として、実施例１と同じ総厚１５μｍのＰＥＴを積層した二軸延伸ナイロンフィルム（ベースフィルム）の上に、厚さ１２μｍのエチレン−ビニルアルコール共重合体フィルムを積層し、さらにその上に、厚さ５０μｍの直鎖状低密度ポリエチレンフィルム（熱接着性フィルム）を積層してなる透明な合成樹脂フィルム（総厚み７７μｍの多層フィルム）を使用した。それ以外は、実施例１と同様にして、実施例２の味噌収納用ガゼット袋を得た。そして、得られた味噌収納用ガゼット袋に味噌を収納し、その味噌収納後の味噌収納用ガゼット袋を用いて、実施例１と同様に「味噌取り出し時の安定性」および「裁断容易性」を評価した。評価結果を味噌収納用ガゼット袋の性状とともに表１に示す。
【００４１】
［実施例３］
味噌収納用ガゼット袋の製造時に、表裏の胴材、左右および下側の折り込み部を形成するための折り込み材として、実施例１と同じ総厚１５μｍのＰＥＴを積層した二軸延伸ナイロンフィルム（ベースフィルム）の上に、厚さ１２μｍのエチレン−ビニルアルコール共重合体フィルムを積層し、さらにその上に、厚さ１００μｍの直鎖状低密度ポリエチレンフィルム（熱接着性フィルム）を積層してなる透明な合成樹脂フィルム（総厚み１２７μｍの多層フィルム）を使用した。それ以外は、実施例１と同様にして、実施例３の味噌収納用ガゼット袋を得た。そして、得られた味噌収納用ガゼット袋に味噌を収納し、その味噌収納後の味噌収納用ガゼット袋を用いて、実施例１と同様に「味噌取り出し時の安定性」および「裁断容易性」を評価した。評価結果を味噌収納用ガゼット袋の性状とともに表１に示す。
【００４２】
［実施例４，５］
味噌収納用ガゼット袋の製造時に、左右の折り込み材３ａ，３ｂの幅（拡げた幅）ａおよび底部の折り込み材４の幅（拡げた幅）ｂを、それぞれ、５０ｍｍ、７０ｍｍに変更し、それ以外は実施例１と同様にして、実施例４，５の味噌収納用ガゼット袋を得た。
そして、得られた味噌収納用ガゼット袋に味噌を収納し、その味噌収納後の味噌収納用ガゼット袋を用いて、実施例１と同様に「味噌取り出し時の安定性」および「裁断容易性」を評価した。なお、味噌が充填された実施例４の味噌収納用ガゼット袋における味噌の高さは２１０ｍｍであり（ｍ／ａ＝２．０）、味噌が充填された実施例５の味噌収納用ガゼット袋における味噌の高さは１３０ｍｍであった（ｍ／ａ＝１．３）。評価結果を味噌収納用ガゼット袋の性状とともに表１に示す。
【００４３】
［実施例６］
味噌収納用ガゼット袋の製造時に、表裏の胴材、左右および下側の折り込み部を形成するための折り込み材として、厚さ１５μｍのＰＥＴフィルム（ベースフィルム）の上に、厚さ１２μｍのポリメタキシリレンアジパミドとナイロンの共押し出しフィルムを積層し、さらにその上に、厚さ８０μｍの直鎖状低密度ポリエチレンフィルム（熱接着性フィルム）を積層してなる透明な合成樹脂フィルム（総厚み１０７μｍの多層フィルム）を使用した。それ以外は、実施例１と同様にして、実施例６の味噌収納用ガゼット袋を得た。そして、得られた味噌収納用ガゼット袋に味噌を収納し、その味噌収納後の味噌収納用ガゼット袋を用いて、実施例１と同様に「味噌取り出し時の安定性」および「裁断容易性」を評価した。評価結果を味噌収納用ガゼット袋の性状とともに表１に示す。
【００４４】
［実施例７］
味噌収納用ガゼット袋の製造時に、表裏の胴材、左右および下側の折り込み部を形成するための折り込み材として、厚さ１５μｍのナイロンフィルム（ベースフィルム）の上に、厚さ１２μｍのエチレン−ビニルアルコール共重合体フィルムを積層し、さらにその上に、厚さ８０μｍの直鎖状低密度ポリエチレンフィルム（熱接着性フィルム）を積層してなる透明な合成樹脂フィルム（総厚み１０７μｍの多層フィルム）を使用した。それ以外は、実施例１と同様にして、実施例７の味噌収納用ガゼット袋を得た。そして、得られた味噌収納用ガゼット袋に味噌を収納し、その味噌収納後の味噌収納用ガゼット袋を用いて、実施例１と同様に「味噌取り出し時の安定性」および「裁断容易性」を評価した。評価結果を味噌収納用ガゼット袋の性状とともに表１に示す。
【００４５】
［比較例１］
味噌収納用ガゼット袋の製造時に、表裏の胴材、左右および下側の折り込み部を形成するための折り込み材として、実施例１と同じ総厚１５μｍのＰＥＴを積層した二軸延伸ナイロンフィルム（ベースフィルム）の上に、厚さ１２μｍのエチレン−ビニルアルコール共重合体フィルムを積層し、さらにその上に、厚さ１５０μｍの直鎖状低密度ポリエチレンフィルム（熱接着性フィルム）を積層してなる透明な合成樹脂フィルム（総厚み１７７μｍの多層フィルム）を使用した。それ以外は、実施例１と同様にして、比較例１の味噌収納用ガゼット袋を得た。そして、得られた味噌収納用ガゼット袋に味噌を収納し、その味噌収納後の味噌収納用ガゼット袋を用いて、実施例１と同様に「味噌取り出し時の安定性」および「裁断容易性」を評価した。評価結果を味噌収納用ガゼット袋の性状とともに表１に示す。
【００４６】
【表１】
2018070184.tif 000003
【００４７】
表１から、実施例１〜６の味噌収納用ガゼット袋は、何れも、味噌取り出し時の安定性、裁断容易性ともに良好であることが分かる。それに対して、合成樹脂フィルムの厚みが特許請求の範囲の上限よりも大きい比較例１の味噌収納用ガゼット袋は、裁断容易性が劣ることが分かる。
【００４８】
＜味噌収納用ガゼット袋の変更例＞
本発明に係る味噌収納用ガゼット袋の構成は、上記した各実施形態の態様に何ら限定されるものではなく、胴材や折り込み部を形成するための合成樹脂フィルムの材質、大きさ（高さ、幅、マチの幅、マチの構造等）等の構成を、本発明の趣旨を逸脱しない範囲で、必要に応じて適宜変更できる。
【００４９】
たとえば、胴材や折り込み部を形成するための合成樹脂フィルムは、上記実施形態の如く、ＰＥＴフィルムあるいはナイロンフィルムとエチレン−ビニルアルコール共重合体フィルムとポリエチレンフィルム（直鎖状低密度ポリエチレンフィルム）とを積層させたものに限定されず、他の材質の合成樹脂フィルムを積層させたものでも良いし、金属箔や金属蒸着フィルム等を積層させたものでも良い。なお、合成樹脂フィルムとして、上記実施形態の如く、ＰＥＴを積層した二軸延伸ナイロンフィルムとエチレン−ビニルアルコール共重合体フィルムと直鎖状低密度ポリエチレンフィルム等のＰＥＴフィルムを含む積層フィルムを用いた場合には、胴材や折り込み材の強度が良好なものとなるとともに製造が容易なものとなる。また、酸素バリア性および寸法安定性に優れるため、味噌用の包装体として好適なものとなる。
【００５０】
また、下側（底部）の折り込み部の設置方法は、上記実施形態の如く、左右の折り込み材の下端縁際の部分を鉛直断面がＭ字状になるように中側へ斜めに折り曲げて、それらの屈曲部分の内部に、底部の折り込み材の左右の両端際を挟み込ませる方法に限定されず、図６の如く、長尺な帯状の合成樹脂フィルムを所定の態様で折り畳むことによって、左右の折り込み材と底部の折り込み材とを一緒に形成する（連ならせるように形成する）方法を採用することも可能である。
【産業上の利用可能性】
【００５１】
本発明の味噌収納用ガゼット袋は、上記の如く優れた効果を奏するものであるから、粘性の高い半固形物である味噌の包装用袋として好適に用いることができる。
【符号の説明】
【００５２】
Ｐ・・味噌収納用ガゼット袋
２ａ，２ｂ・・胴材    
３ａ，２ｂ・・折り込み部（左右）
４・・折り込み部（底部）
５・・側方シール部
１５・・底シール部
Ｃ・・開封予定位置
【図１】
2018070184.tif 000004
【図２】
2018070184.tif 000005
【図３】
2018070184.tif 000006
【図４】
2018070184.tif 000007
【図５】
2018070184.tif 000008
【図６】
2018070184.tif 000009